(57)【特許請求の範囲】
【請求項１】
複数の顧客に送付される印刷物の元となる印刷用電子文書（Ｃ）を作成するための印刷用電子文書作成システムであって、
印刷物の内容に関するコンテンツデータ（Ａ０）とは互いに独立に作成された制御データ（Ｍ１）の内容に従って、各顧客に対応する顧客グループごとのコンテンツデータ（Ａ０）に当該顧客グループ内での頁順を付与する顧客グループ内頁順付与手段（１）、
制御データ（Ｍ１）の内容に従って、必要に応じて顧客グループの選択と並び替えを行う顧客グループ選択並び替え手段（２）、
及び、制御データ（Ｍ１）の内容に従って、顧客グループごとにまとめたコンテンツデータ（Ａ０）を編成して印刷用電子文書（Ｃ）を作成する編成手段（３）を備えたことを特徴とする印刷用電子文書作成システム。
【請求項２】
コンテンツデータ（Ａ０）は電子文書の形式で提供されるものとし、制御データ（Ｍ１）の内容に基づいて前記コンテンツデータ（Ａ０）を取り込み可能な電子文書（Ｂ２）を生成し、編成手段（３）が、前記制御データ（Ｍ１）から生成した電子文書（Ｂ２）内にコンテンツデータ（Ａ０）を取り込んで編成するようにしている請求項１記載の印刷用電子文書作成システム。
【請求項３】
印刷用電子文書（Ｃ）内のコンテンツデータ（Ａ０）の少なくとも一部が送付時の印刷物において視認できない態様になるように記述されたものとし、これを抽出して印刷用電子文書（Ｃ）の編成のための情報として利用するようにしている請求項１又は２記載の印刷用電子文書作成システム。
【請求項４】
コンピュータにより複数の顧客に送付される印刷物の元となる印刷用電子文書（Ｃ）を作成するための印刷用電子文書作成方法であって、
印刷物の内容に関するコンテンツデータ（Ａ０）とは互いに独立に作成された制御データ（Ｍ１）の内容に従って、各顧客に対応する顧客グループごとのコンテンツデータ（Ａ０）に当該顧客グループ内での頁順を付与するステップ、
制御データ（Ｍ１）の内容に従って、必要に応じて顧客グループの選択と並び替えを行うステップ、
そして、制御データ（Ｍ１）の内容に従って、顧客グループごとにまとめたコンテンツデータ（Ａ０）を編成して印刷用電子文書（Ｃ）を作成するステップを備え、
さらに、前記印刷用電子文書（Ｃ）の作成後において、印刷用電子文書（Ｃ）の内容を更新する必要が生じた場合に、前記顧客グループ内での頁順を付与するステップ又は顧客グループの選択と並び替えを行うステップを実行した後、前記印刷用電子文書（Ｃ）を作成するステップを実行することを特徴とする印刷用電子文書作成方法。
【発明の詳細な説明】
【技術分野】
【０００１】
この発明は、複数の顧客に送付される印刷物の元となる印刷用電子文書を作成するためのシステム及び方法に関するものである。
【背景技術】
【０００２】
近年、銀行等の各種団体や、ガス、水道等の公共事業においては、各顧客に対して月単位、または年単位等で利用明細等を印刷して発行する必要がある。この場合、印刷した後に自動封入封緘装置を用いるなど印刷・送付処理の工程が高度化している。
【０００３】
従来、この種の処理を合理化するためのシステムとしては、特許文献１に記載のものがある。このシステムは、「全部の複数顧客の全印刷データファイルにおける全頁の総てを合成し（Ｓ１）、合成した総頁を面付け数で区分けし（Ｓ２）、適宜、多面付けで印刷させるための基本的事項を設定し（Ｓ３）、合成した総頁を面付け領域に多面付け印刷させ、印刷後の重ね状態で各面付けブロック毎に断裁されて当該各面付けブロックが重ねられることで単一のブロックとされたときに、各顧客毎の頁を順に配置された状態とさせるべく、各顧客毎に対応させて総ての頁をレイアウトし（Ｓ４）、単一の印刷データファイルとして印刷処理システムに送る（Ｓ５）」ようにした構成となっている。
【０００４】
ところで、この従来のシステムでは、印刷用電子文書（「単一の印刷データファイル」）の頁の割り振りは、複数顧客の全印刷データファイルにおける全頁の総てを合成した後、面付け数で区分けすることによって行われる。
【０００５】
そのため、作成された印刷用電子文書に基づいて印刷される印刷物の構成は、各顧客のための頁ごとにまとまってはいるものの、面付け数で区分けしているだけであるので、各顧客の印刷物については、その内容や頁数、頁順を自由に設定、変更できるものではなかった。
【０００６】
したがって、各顧客へ送付する印刷物を、それぞれ各顧客の要望に応じた構成とすることは困難であり、また、印刷用電子文書の作成後に、送付先の顧客の増減等の変更や、各顧客に送付する印刷物の内容や頁数の変更を行う必要が生じた場合には、最初のステップからやり直さなければならなかった。
【特許文献１】特開２００５−３１３５２２号公報
【発明の開示】
【発明が解決しようとする課題】
【０００７】
そこで、この発明は、各顧客へ送付する印刷物を、それぞれ各顧客の要望に応じた構成にすることが容易で、また、印刷用電子文書の作成後に、送付先の顧客の増減等の変更や、各顧客に送付する印刷物の内容や頁数の変更を行う必要が生じた場合でも容易に対応することが可能な、印刷用電子文書作成システム及び方法を提供することを課題とする。
【課題を解決するための手段】
【０００８】
この発明の印刷用電子文書作成システムは、複数の顧客に送付される印刷物の元となる印刷用電子文書Ｃを作成するためのシステムであって、印刷物の内容に関するコンテンツデータＡ０とは互いに独立に作成された制御データＭ１の内容に従って、各顧客に対応する顧客グループごとのコンテンツデータＡ０に当該顧客グループ内での頁順を付与する顧客グループ内頁順付与手段１、制御データＭ１の内容に従って、必要に応じて顧客グループの選択と並び替えを行う顧客グループ選択並び替え手段２、及び、制御データＭ１の内容に従って、顧客グループごとにまとめたコンテンツデータＡ０を編成して印刷用電子文書Ｃを作成する編成手段３を備えたものとしている。
【０００９】
コンテンツデータＡ０は電子文書の形式で提供されるものとし、制御データＭ１の内容に基づいて前記コンテンツデータＡ０を取り込み可能な電子文書Ｂ２を生成し、編成手段３が、前記制御データＭ１から生成した電子文書Ｂ２内にコンテンツデータＡ０を取り込んで編成するようにしたものとすることができる。
【００１０】
また、印刷用電子文書Ｃ内のコンテンツデータＡ０の少なくとも一部が送付時の印刷物において視認できない態様になるように記述されたものとし、これを抽出して印刷用電子文書Ｃの編成のための情報として利用するようにしたものとすることができる。
【００１１】
この発明の印刷用電子文書作成方法は、コンピュータにより複数の顧客に送付される印刷物の元となる印刷用電子文書Ｃを作成するための方法であって、印刷物の内容に関するコンテンツデータＡ０とは互いに独立に作成された制御データＭ１の内容に従って、各顧客に対応する顧客グループごとのコンテンツデータＡ０に当該顧客グループ内での頁順を付与するステップ、制御データＭ１の内容に従って、必要に応じて顧客グループの選択と並び替えを行うステップ、そして、制御データＭ１の内容に従って、顧客グループごとにまとめたコンテンツデータＡ０を編成して印刷用電子文書Ｃを作成するステップを備え、さらに、前記印刷用電子文書Ｃの作成後において、印刷用電子文書Ｃの内容を更新する必要が生じた場合に、前記顧客グループ内での頁順を付与するステップ又は顧客グループの選択と並び替えを行うステップを実行した後、前記印刷用電子文書Ｃを作成するステップを実行するものとしている。
【発明の効果】
【００１２】
この発明の印刷用電子文書作成システム及び方法は、上述のような構成を有しており、コンテンツデータＡ０に顧客グループ内での頁順を付与する手段（ステップ）、必要に応じて顧客グループの選択と並び替えを行う手段（ステップ）、及び、顧客グループごとにまとめたコンテンツデータＡ０を編成して印刷用電子文書Ｃを作成する手段（ステップ）とにより、各顧客へ送付する印刷物を、それぞれ各顧客の要望に応じた構成にすることが容易で、また、印刷用電子文書Ｃの作成後に、送付先の顧客の増減等の変更や、各顧客に送付する印刷物の内容や頁数の変更を行う必要が生じた場合でも容易に対応することが可能となっている。
【００１３】
さらに、制御データＭ１とコンテンツデータＡ０とは互いに独立に作成されているため、前記各データの内容をそれぞれ独立に変更することができるとともに、各データの作成・変更についての責任の所在を明確にすることが可能となる。
【００１４】
コンテンツデータＡ０が電子文書の形式で提供されるものとし、制御データＭ１の内容に基づいて前記コンテンツデータＡ０を取り込み可能な電子文書Ｂ２を生成し、編成手段３が、前記制御データＭ１から生成した電子文書Ｂ２内にコンテンツデータＡ０を取り込んで編成するようにしたものとすれば、コンテンツデータＡ０は、顧客管理元からの提供時より印刷用電子文書Ｃの作成後にいたるまで、内容の一貫性を保つことができる。
【００１５】
また、印刷用電子文書Ｃ内のコンテンツデータＡ０の少なくとも一部が送付時の印刷物において視認できない態様になるように記述されたものとし、これを抽出して印刷用電子文書Ｃの編成のための情報として利用するようにしたものとすれば、制御データＭ１によるコンテンツデータＡ０の構成配置との組み合わせにより、印刷用電子文書Ｃは多様なレイアウトが可能となる。
【発明を実施するための最良の形態】
【００１６】
以下、この発明の好適な実施形態を、図面を参照して説明する。
【００１７】
図１は、この発明の印刷用電子文書作成システムを含む実施形態の概略図で、図中一点鎖線で囲まれた部分（「印刷前処理システム」）が、この発明の印刷用電子文書作成システムに相当する。
【００１８】
この印刷用電子文書作成システムは、複数の顧客に送付される印刷物の元となる印刷用電子文書Ｃを作成するためのシステムであって、印刷物の内容に関するコンテンツデータＡ０とは互いに独立に作成された制御データＭ１の内容に従って、各顧客に対応する顧客グループごとのコンテンツデータＡ０に当該顧客グループ内での頁順を付与する顧客グループ内頁順付与手段１、制御データＭ１の内容に従って、必要に応じて顧客グループの選択と並び替えを行う顧客グループ選択並び替え手段２、及び、制御データＭ１の内容に従って、顧客グループごとにまとめたコンテンツデータＡ０を編成して印刷用電子文書Ｃを作成する編成手段３を備えたものとしている。
【００１９】
このシステムは、１台ないしネットワークを介して互いに接続された複数台のコンピュータによって構成することができる。コンピュータは、プログラムの実行により、前述の各手段として機能する。コンピュータは、ハードディスク、ＲＡＭ等の記憶装置や、ＣＤ−ＲＯＭ等の記録媒体の読取装置、ブラウン管、液晶ディスプレイ等の表示装置を備えた市販のパーソナルコンピュータとすることができる。
【００２０】
このシステムのコンピュータは、まず各顧客に送付される印刷物の内容に関するコンテンツデータＡ０を取得し、記憶装置に蓄積する。コンテンツデータＡ０は、顧客管理元（発送元の会社）より、電子文書の形式で提供される。電子文書は、アドビシステムズ社のＰＤＦ（Ｐｏｒｔａｂｌｅ Ｄｏｃｕｍｅｎｔ Ｆｏｒｍａｔ）のファイル形式とし、ＣＤ−Ｒに記録されたものや、ネットワーク経由で前記記憶装置に取り込まれるようにすることができる。
【００２１】
コンテンツデータＡ０は、具体的には、図２に示したように、「かがみ．ｐｄｆ」、「請求書．ｐｄｆ」、「一括納品書．ｐｄｆ」の３つのＰＤＦファイルで提供されるものとしている。
【００２２】
前記各ＰＤＦファイルには、印刷物の内容が複数頁の構成で記述されているとともに、送付先の顧客を企業単位で識別するための「業者コード」と、当該顧客を管轄する顧客管理元の支店等の事業所を識別するための「事業所コード」が記述されている。また、前記各ＰＤＦファイルは、各頁のサイズ、レイアウトが統一されている必要はなく、大小様々な頁から構成されたものとすることができる。
【００２３】
顧客の印刷物の内容は、例えば図３に示したような構成とすることができる。この例の印刷物は、「かがみ」が２頁、「一括納品書」が４頁、「請求書」が２頁から構成されているが、各帳票の頁数等の構成は、顧客ごとに異なるものとすることができる。
【００２４】
ここで、追加オブジェクトは、送付管理用部品Ｂ１であり印刷用電子文書Ｃの各頁に記述されるもので、それぞれ次のようなものである。
【００２５】
「頁連番」・・・印刷物の出力枚数確認と、表裏一致の保証・確認用のマークとして機能する。プリンターで両面印字をする場合、機構上、同時に表裏を印字するのではなく、連続用紙を送りながら表裏別ユニットで印字をする場合があるが、この時、出力順に表裏同じ連番を印字することで、プリンターのオペレータが表裏がズレなく正しく印字されているかを目視で確認でき、尚かつ、出力総数がデータと一致しているかを確認することができる。
【００２６】
「ＤＣバーコード」（ＤａｔａＣｏｎｔｒｏｌ封入封緘機対応バーコード）・・・機械封入機を用いて、同一送付先に封入物をまとめて封入するために利用するバーコード。機械封入機においては、連続的に印字出力された台紙内で、１通の封筒に入れる封入物を間違いなく特定し、まとめる為に出力用紙の各頁にバーコードを印字し、それを読み取りながらどの頁からどの頁までが同一送付先に送るものかを判断する。１通あたりの封入枚数がランダムな場合でも、このバーコードを利用することで間違いなく送付先単位に出力物を仕分けることができ、また、読み取った記録がログとして保管できるので、トレーサビリティ確保にも非常に有効なツールとして利用することができる。
【００２７】
「郵便カスタマバーコード」・・・  郵便割引の適用を受ける為に、予め郵便物に印字するバーコード。郵便局から提示されている仕様に準拠して出力する。
【００２８】
「ＤＣ連番」（ＤａｔａＣｏｎｔｒｏｌ封入封緘機対応封筒連番）・・・機械封入機による作業時に封入作業が正しく行われているかを最終的に確認するための封筒排出順のシーケンス番号連番）。封入機がカメラでこのシーケンス番号を読み取り、最終形態である封筒の数量、出力順番、封入状態を監視・確認する。ＤＣバーコード同様ログを残すことが可能で、トレーサビリティの確保にも有効である。
【００２９】
「ベタマーク」・・・手封入作業時に送付先毎に帳票を仕分ける為の目印に利用するもの。１通あたりの封入枚数が機械封入ができないほど大量になるときは、封入作業は手による仕分けとなる。例えば、送付先単位にかがみ、明細の順に出力された帳票が頁単位に仕上げられ、山として積み上げられた状態にあるとき、各送付先の帳票のまとまりの先頭頁となるかがみの用紙の端にベタマーク四角形のしるし）を印字することで、帳票の山を横から見ると、そのベタマークが送付先単位の境界として目視で確認できる。これにより作業効率が向上し、また先頭頁のベタ確認によって、仕分けミスのリスクも軽減することができる。
【００３０】
「白頁」・・・両面印字出力物の製品としての整合性を取る為に挿入する、頁連番のみが入った頁。複数種類の帳票、複数送付先の帳票を一つの連続帳票で両面印字する場合、帳票の区切りや送付先の区切りを頁単位で明確に分けるべきケースが出てくる。具体的には帳票単位、送付先単位の出力頁数が奇数の時に最後にダミー的に頁連番のみ印字した頁を１頁挿入して出力頁数を偶数にすることで整合性をとる。
【００３１】
また、このシステムのコンピュータは、送付先の顧客に関するインデックスファイルＭ０を取得する。インデックスファイルＭ０には、各顧客に関する顧客コード、営業窓口としての事業所コード、印刷物名（コンテンツデータＡ０のファイル名）、帳票種、印刷物の頁数等が記録されており、各コンテンツデータＡ０の各頁を識別することができるようになっている。
【００３２】
インデックスファイルＭ０は、顧客管理元（発送元の会社）から提供される、テキスト、ＣＳＶ形式等のファイル形式とし、ＣＤ−Ｒ等の記録媒体に記録されたものや、ネットワーク経由で前記記憶装置に取り込まれるようにすることができる。インデックスファイルＭ０は、顧客ごとの個別のファイルとして作成されるものでも、複数の顧客用の制御データＭ１がまとめられた１つのファイルとして作成されるものであってもよい。
【００３３】
〔顧客グループ内頁順付与手段〕
次に、コンピュータは、プログラムの実行により、以下に説明するように、印刷物の内容に関するコンテンツデータＡ０とは互いに独立に作成された制御データＭ１に従って、コンテンツデータＡ０に当該顧客グループ内での頁順を付与する顧客グループ内頁順付与手段１として動作する。
【００３４】
コンピュータは、入力されたインデックスファイルＭ０から制御データＭ１を作成し、記憶装置内の制御データ蓄積部に蓄積する。制御データＭ１は、複数のレコードからなるもので、顧客ごとの個別のファイルとして作成されるものでも、複数の顧客用の制御データＭ１がまとめられた１つのファイルとして作成されるものであってもよい。
【００３５】
制御データＭ１は、インデックスファイルＭ０の内容に規定情報ファイルから読み込んだ規定情報を反映させて作成したものとしている。規定情報ファイルは、コンテンツデータＡ０の各頁に対応する情報が記述されたもので、ＣＳＶ形式で、図４に示したような内容となっている。また、規定情報ファイルには、プリンタでの印刷はどの種類の用紙を使用するのか、片面印刷か両面印刷か、白頁の挿入などの条件の指定情報が含まれたものとすることができる。規定情報ファイルは、予め作成されたものでも、適時コンピュータの画面操作によって生成されるものであってもよい。
【００３６】
コンピュータは、顧客ごとのコンテンツデータＡ０のＰＤＦファイル内のすべての頁について、前記規定情報ファイルの頁番号との対応関係を制御データＭ１に記述することにより、コンテンツデータＡ０の各頁に顧客グループ内での頁順を付与する。この実施形態では、各顧客の「かがみ．ｐｄｆ」、「請求書．ｐｄｆ」、「一括納品書．ｐｄｆ」の３種の帳票によって顧客グループが構成される。
【００３７】
さらに、コンピュータは、コンテンツデータＡ０の各頁について、制御データＭ１に取り込むべき情報が含まれている場合は、当該情報を制御データＭ１に取り込む。具体的には、図５に示したような処理を行うことにより、コンテンツデータＡ０から制御情報を抽出し、制御データＭ１に書き加える。
【００３８】
すなわち、コンテンツデータＡ０の各頁について、テキスト属性オブジェクトが存在する場合には、当該オブジェクトの文字列について、文字色が指定色、座標情報が指定範囲内、文字サイズが指定範囲内、かつ座標値が指定範囲内といった所定の条件を満たす場合に（Ｓ０５０）、これを制御情報とみなして抽出し（Ｓ０６１）、一時記憶に退避しＳ０６１）、同じ頁内に別の制御情報となる文字列と連結し（Ｓ０８０）、制御データＭ１に書き加える。
【００３９】
この実施形態では、コンテンツデータＡ０は、各顧客グループにおいて、「かがみ」、「一括納品書」、「請求書」の３つの種別の頁で構成されており、これらの頁は各種別ごとにまとまった小グループを構成する。そして、頁数が奇数の小グループが存在する場合には、当該小グループの末尾に白頁を挿入することにより、すべての顧客グループにおける小グループの頁数を偶数とする。白頁の挿入は、制御データＭ１に記述することにより、あるいはプログラムで自動判別することにより行われるようにすることができる。
【００４０】
〔顧客グループ選択並び替え手段〕
コンピュータは、前述の顧客グループ内頁順付与手段１としての動作とともに、制御データＭ１に記述された情報にしたがって、プログラムの実行により、必要に応じて顧客グループの選択と並び替え（名寄せ）を行う顧客グループ選択並び替え手段２として動作する。顧客グループ内頁順付与手段１としての動作の前又は後に動作するものであってもよい。
【００４１】
この動作は、印刷用電子文書Ｃに含ませる顧客グループの追加・削除、順序の変更を行うものであり、制御データＭ１に特に指定がなければ、提供されたコンテンツデータＡ０をすべてその順序どおりに印刷用電子文書Ｃに配置する。
【００４２】
顧客グループの選択・並び替えは、印刷用電子文書Ｃがまだ生成されていない場合はもちろん、すでに生成されているが、再度生成し直す場合でも行うことができるので、印刷用電子文書Ｃの構成を容易に変更することが可能となっている。
【００４３】
〔編成手段〕
次に、コンピュータは、プログラムの実行により、以下に説明するように、制御データＭ１の内容に従って、顧客グループごとにまとめたコンテンツデータＡ０を編成して印刷用電子文書Ｃを作成する編成手段３として動作する。
【００４４】
コンピュータは、まず、顧客ごとの送付管理用部品Ｂ１を生成する。送付管理用部品Ｂ１はＰＤＦ形式の電子文書であり、制御データＭ１から取得した封入封緘機自動制御用バーコードや、編成後の印刷用電子文書Ｃの顧客グループ内での頁の表示等を構成するデータと、管理部品設定ファイルから読み込んだ前記バーコード等の大きさ、種類、位置等に関する設定情報を反映させて作成したものとしている。
【００４５】
管理部品設定ファイルの内容は、図６のようなもので、作成される印刷用電子文書ＣにおけるコンテンツデータＡ０の各頁の配置位置情報等に関するものである。管理部品設定ファイルは、予め作成されたものでも、適時コンピュータの画面操作によって生成されるものであってもよい。
【００４６】
次に、コンピュータは、制御データＭ１と送付管理用部品Ｂ１とから、図７に示したような印刷用電子文書Ｃの原型Ｂ２を生成する。図７中、送付管理用部品Ｂ１の右側の領域の「かがみ」、「一括納品書」、「請求書」の表示は、ここにコンテンツデータＡ０の「かがみ」、「一括納品書」、「請求書」の各帳票の頁が取り込まれることを意味し、「１／２」等の数字は、その帳票の中の頁番号と全体の頁数を意味する。
【００４７】
この原型Ｂ２は、コンテンツデータＡ０の各頁について、それより少なくとも同等か大きいドキュメントエリアを持つように、制御データＭ１の内容にしたがって生成されたＰＤＦ形式の電子文書であり、コンテンツデータＡ０は配置されていない状態にある。
【００４８】
そして、制御データＭ１を参照しながら、前記原型Ｂ２にコンテンツデータＡ０を取り込むことにより、印刷用電子文書Ｃを作成する。具体的には、図８に示したような処理を行う。
【００４９】
すなわち、出力文書（前記原型Ｂ２）を新規ファイルとして生成し（Ｓ０１０）、制御データＭ１のファイルを開き（Ｓ０２０）、制御データＭ１のレコードを読み込み（Ｓ０３０）、処理レコードがある場合は、そのレコードが指定するコンテンツデータＡ０の頁を、出力文書（前記原型Ｂ２）に新規頁オブジェクトとして追加し（Ｓ０４０）、さらに頁属性項目を抽出し（Ｓ０５０）、通常頁であれば、頁オブジェクトと郵便カスタマバーコードを出力し（Ｓ０６０）、ロット・サンプル頁であれば、ベタパッチオブジェクトとロット・サンプル連番オブジェクトの出力を行う。そして、頁回転処理（Ｓ０７０）、出力連番の出力（Ｓ０８０）、出力連番のバーコードの出力（Ｓ０９０）を行う。
【００５０】
この処理を、各顧客の制御データＭ１について行うことにより、コンテンツデータＡ０が取り込まれた印刷用電子文書Ｃが完成する。原型Ｂ２は新たに生成せず、送付管理用部品Ｂ１を原型Ｂ２として使用し、この原型Ｂ２、すなわち送付管理用部品Ｂ１にコンテンツデータＡ０を直接配置することもできる。
【００５１】
印刷用電子文書Ｃの各頁には、コンテンツデータＡ０の複数の頁を、サイズ、位置の調整をコンピュータが自動的に行うことにより、面付け等を考慮した適宜のレイアウトで配置することができる。
【００５２】
なお、コンテンツデータＡ０に含まれる文字列等の少なくとも一部を、送付時の印刷物において視認できない態様になるように記述することができる。例えば、顧客コード、帳票種、顧客内頁番号のＩＤ情報の文字列を濃度０％としたり、印刷用紙と同一色で記述することができる。そして、コンピュータが当該コンテンツデータＡ０の一部を抽出し、印刷用電子文書ＣにおけるコンテンツデータＡ０の各頁のサイズ、位置等、印刷用電子文書Ｃの編成のための情報として利用するようにすれば、制御データＭ１によるコンテンツデータＡ０の構成配置との組み合わせにより、制御データＭ１とコンテンツデータＡ０との互いの独立性が保たれたまま、印刷用電子文書Ｃは多様なレイアウトが可能となる。
【００５３】
このように、このシステムでは、コンテンツデータＡ０は電子文書の形式で提供され、制御データＭ１から前記コンテンツデータＡ０を取り込み可能な電子文書（前記原型Ｂ２）を生成し、編成手段３が、前記原型Ｂ２内に送付管理用部品Ｂ１とともにコンテンツデータＡ０を取り込んで編成するようにしているため、コンテンツデータＡ０は、顧客管理元からの提供時より印刷用電子文書Ｃの作成後にいたるまで、内容の一貫性が保たれる。
【００５４】
作成された印刷用電子文書Ｃは、コンピュータ内蔵のハードディスク等の記憶装置やＣＤ−Ｒ等の記録媒体に出力したり、あるいはネットワーク経由で他のコンピュータに配信したりすることもできる。
【００５５】
このシステムは、例えば、顧客管理元が月次等で請求書と一括納品書等をプリンタで印刷し、顧客別に封書を作成し郵送するケースや、自治体等で住民向け各種案内を郵送するケースに使用することができる。従来より、発送する印刷物が大量になる場合、効率のよい専用設備での処理が必要となるため、プリンタ印刷業務、封入封緘業務は専門業者に委託されることが多かったが、この際には発送する印刷物の元となる固定長データファイルやＣＳＶ形式等テキストデータファイルを預託し、ドキュメントとしての編成は印刷業務の専門業者にて実行することが行われている。これに対してこのシステムでは、コンテンツデータＡ０としての帳票のデータ加工及び出力イメージまでを顧客管理元のシステムにて処理し、コンテンツデータＡ０として出力したものを外部のデータプリント及び封入封緘委託業者に預託する場合に好適である。
【００５６】
また、制御用バーコード等の送付管理用部品Ｂ１が含まれた印刷用電子文書Ｃは、受託業者が封入封緘等の顧客別名寄せ等の送付作業を自動処理する際に便利である。さらに、印刷用電子文書Ｃの内容を更新する必要が生じた場合には、再度、顧客グループ内頁順付与手段１による顧客グループ内での頁順を付与するステップ、又は顧客グループ選択並び替え手段２による顧客グループの選択と並び替えを行うステップを実行した後、前記印刷用電子文書Ｃを作成するステップを実行することが可能であり、これによって、複数の帳票の各頁を顧客別に並べ替え等の変更作業や、一部の顧客の帳票のみを選択して出力する等の作業も容易に行うことができる。
【００５７】
しかも、このシステムによれば、顧客向け印刷物の内容について責任を持つ部門において印刷物のコンテンツを汎用電子文書として固定し、印刷・送付処理を業務とする部門における印刷・送付のための一連の加工・編集処理と分離することが可能となり、コンテンツデータＡ０の内容の変更と印刷・送付の方法をそれぞれ独立に変更することができる。これによって、特に、印刷・送付処理を外部業者に委託する場合の責任の所在を明確にすることが可能となる。
【００５８】
また、顧客が、コンテンツデータＡ０を印刷物として受け取ることを望まず、Ｗｅｂでの閲覧を希望する場合があるが、このような場合でも、システムに変更を加えることなく、ＰＤＦ形式の印刷用電子文書ＣをＷＷＷサーバに渡すことにより、当該顧客にＷｅｂで閲覧可能となるようにすることができる。
【００５９】
また、この実施形態では、顧客毎のコンテンツデータＡ０は３種、すなわち「かがみ」、「一括納品書」、「請求書」の各帳票としたが、この発明におけるコンテンツデータの用途内容及び種類数はこれに限定されるものではなく、例えば１種類であってもよく、さらに１種類のコンテンツを上部下部というように分割するステップを追加してその手続きを制御データＭ１に書き込むことによって、コンテンツデータＡ０の頁を印刷用電子文書Ｃにおいて分割して複数頁となるようにしてもよい。
【００６０】
なお、このシステムは、顧客管理元にて運用し、印刷用電子文書Ｃを印刷・送付処理を外部業者に委託する場合、外部業者にてこのシステムを運用し、顧客管理元は、コンテンツデータＡ０を外部業者に委託する場合、また、顧客管理元の内部で分業するためのフローでもよい。
【実施例】
【００６１】
前述のシステムにより作成された印刷用電子文書Ｃの一部一顧客分）の例を図９〜図１２に示す。この印刷用電子文書Ｃは、「かがみ」（第１頁〜第２頁）、「一括納品書」（第３頁〜第６頁）、「請求書」（第７頁〜第８頁）の３つの種別の頁で構成されている。
【００６２】
各頁には、右下隅に通し番号（０００１〜０００４）が付されている。通し番号は、表裏となる２つの頁では同一となる。「かがみ」の表側の頁（第１頁）の左上の宛先の囲みには、送付通数シーケンス（０００００００１＃）、郵便バーコード、右下隅の通し番号の右側には顧客別開始ベタマーク（四角形のしるし）が付されている。「かがみ」の表側の頁（第１頁）、「一括納品書」の表側の頁（第３頁、第５頁）、「請求書」の表側の頁（第７頁）には、それぞれの右下側にＤＣ封入封緘用バーコードが付されている。これらは、前述の送付管理用部品Ｂ１に記述されたものである。
【００６３】
この印刷用電子文書Ｃの作成のために使用されたコンテンツデータＡ０は、「かがみ」は２頁分、「一括納品書」は５頁分、「請求書」は１頁分であり、それぞれの種別が小グループを構成し、この小グループごとにまとまる（頁が連続する）ようにしているが、「一括納品書」と「請求書」の頁数は奇数であるため、これら両小グループの末尾第６頁、第８頁）には白頁が挿入されることにより、すべての顧客グループにおける小グループの頁数が偶数となっている。
【００６４】
次に、編成手段３における編成の例のイメージを図１３〜１５に示す。
【００６５】
図１３に示した例は、コンテンツデータＡ０としてａ＿１、ａ＿２、ａ＿３の３頁からなる「ａ．ｐｄｆ」ファイルと、ｂ＿１、ｂ＿２の２頁からなる「ｂ．ｐｄｆ」ファイルとを入力し、合体、頁の並び替え及び回転を行って印刷用電子文書Ｃ「Ｃ．ｐｄｆ」ファイルを生成する場合のイメージである。制御データＭ１は、複数行のレコードからなり、各レコードには、出力連番、入力されるコンテンツデータＡ０のファイル名、当該コンテンツデータＡ０の頁番号がコンマで区切られて記述されている。管理部品設定ファイルには、「ＦＩＬＥ＿ＮＡＭＥ」に出力ファイル名である「Ｃ.ｐｄｆ」、「ＴＵＲＮ＿ＲＡＴＥ」に回転角度の９０度）が指定されている。出力される「Ｃ.ｐｄｆ」の内容は、図示したように、ａ＿２、ｂ＿２、ｂ＿１、ａ＿３、ａ＿１の頁順で、各頁が９０度回転したものとなる。
【００６６】
図１４に示した例は、コンテンツデータＡ０としてａ＿１、ａ＿２、ａ＿３の３頁からなる「ａ．ｐｄｆ」ファイルを入力し、各頁に頁番号と封入封緘制御バーコードを挿入した印刷用電子文書Ｃ「Ｃ．ｐｄｆ」ファイルを生成する場合のイメージである。制御データＭ１の各レコードには、出力連番、入力されるコンテンツデータＡ０のファイル名、当該コンテンツデータＡ０の頁番号、印刷用電子文書Ｃにおいて付される頁番号、バーコード情報がコンマで区切られて記述されている。管理部品設定ファイルには、［ＦＲＡＭＥ＿１］に印刷用電子文書Ｃにおいて付される頁番号、［ＦＲＡＭＥ＿２］にバーコードにのそれぞれの位置、回転角度等が指定されている。出力される「Ｃ.ｐｄｆ」の内容は、図示したように、各頁の右側上部に頁番号、左側上部に封入封緘制御バーコードが付されたものとなる。
【００６７】
図１５に示した例は、コンテンツデータＡ０としてａ＿１、ａ＿２、ａ＿３の３頁からなる「ａ．ｐｄｆ」ファイルを入力し、白頁とベタマーク入りの頁を挿入した印刷用電子文書Ｃ「Ｃ．ｐｄｆ」ファイルを生成する場合のイメージである。制御データＭ１の２行目のレコードには、入力ファイル名はなくコンマのみが記述され当該頁が白頁であることを意味する）、４行目のレコードには入力ファイル名はなく、ベタマークの指定である四角形の記号と、当該頁がロットサンプル頁であることを示す「ＬＯＴ１−１」の文字列が記述されている。管理部品設定ファイルには、［ＦＲＡＭＥ＿１］、［ＦＲＡＭＥ＿２］に前記四角形の記号と文字列の位置、回転角度等が指定されている。出力される「Ｃ.ｐｄｆ」の内容は、図示したように、２頁目に白頁、４頁目にベタマークと「ＬＯＴ１−１」の表示が付されたものとなる。
【図面の簡単な説明】
【００６８】
【図１】この発明の印刷用電子文書作成システムを含む実施形態の概略図である。
【図２】コンテンツデータの説明図である。
【図３】印刷物の内容の構成の説明図である。
【図４】規定情報ファイルの内容の構成の説明図である。
【図５】コンテンツデータから制御情報を抽出し、制御データに書き加える処理工程の流れ図である。
【図６】管理部品設定ファイルの内容の構成の説明図である。
【図７】印刷用電子文書の原型の構成の説明図である。
【図８】印刷用電子文書を作成する処理工程の流れ図である。
【図９】印刷用電子文書の実施例の説明図である（第１〜２頁）。
【図１０】印刷用電子文書の実施例の説明図である（第３〜４頁）。
【図１１】印刷用電子文書の実施例の説明図である（第５〜６頁）。
【図１２】印刷用電子文書の実施例の説明図である（第７〜８頁）。
【図１３】編成手段による編成の例の説明図である。
【図１４】編成手段による編成の例の説明図である。
【図１５】編成手段による編成の例の説明図である。
【符号の説明】
【００６９】
１  顧客グループ内頁順付与手段
２  顧客グループ選択並び替え手段
３  編成手段
Ａ０  コンテンツデータ
Ｂ２  制御データから生成した電子文書
Ｃ  印刷用電子文書
Ｍ１  制御データ
【図１】
0004452929.tif 000002
【図２】
0004452929.tif 000003
【図３】
0004452929.tif 000004
【図４】
0004452929.tif 000005
【図５】
0004452929.tif 000006
【図６】
0004452929.tif 000007
【図７】
0004452929.tif 000008
【図８】
0004452929.tif 000009
【図９】
0004452929.tif 000010
【図１０】
0004452929.tif 000011
【図１１】
0004452929.tif 000012
【図１２】
0004452929.tif 000013
【図１３】
0004452929.tif 000014
【図１４】
0004452929.tif 000015
【図１５】
0004452929.tif 000016